(57)【要約】【課題】メインカバーを閉じたまま動作設定を迅速かつ確実に行うことができるエアコンの動作設定装置を提供する。【解決手段】本発明のエアコンの動作設定装置は、筐体５４のメインカバー５６内に室外熱交換用機器および充電部を備えたエアコンの室外機２０に設けられた動作設定装置５３において、動作設定装置５３は、室外熱交換用機器の動作設定を行う設定スイッチ６１と、設定スイッチ６１による設定状態または室外熱交換用機器の動作状態を示す表示パネル６２とを備え、筐体５４の側面のサブカバー５７内に配置されている。【選択図】　　　　　図４
2004125231.tif 000002
【特許請求の範囲】
【請求項１】
筐体のメインカバー内に室外熱交換用機器および充電部を備えたエアコンの室外機に設けられた動作設定装置において、
前記動作設定装置は、前記室外熱交換用機器の動作設定を行う設定スイッチと、
前記設定スイッチによる設定状態または前記室外熱交換用機器の動作状態を示す表示パネルとを備え、
前記筐体の側面のサブカバー内に配置されていることを特徴とするエアコンの動作設定装置。
【請求項２】
前記サブカバーには、凹状に形成されて前記室外機を把持可能な把持部が設けられ、前記表示パネルは、表示面を斜め上方に向けて、前記把持部の内側に傾斜配置されていることを特徴とする請求項１記載のエアコンの動作設定装置。
【請求項３】
前記室外熱交換用機器には、前記筐体の外側に設けられ、冷媒との間で熱交換させた熱媒水を収容する給水タンクが、この給水タンクと前記室外熱交換用機器との間で前記熱媒水を循環ポンプで循環させる温水配管によって接続され、前記設定スイッチは、前記循環ポンプの出力を設定する機能を有することを特徴とする請求項１または２に記載のエアコンの動作設定装置。
【請求項４】
前記サブカバー内には、前記室外熱交換用機器の動作設定を行うリモコンを接続可能なリモコン端子台が設けられていることを特徴とする請求項１から３のいずれかの項に記載のエアコンの動作設定装置。
【発明の詳細な説明】
【０００１】
【発明の属する技術分野】
本発明は、エアコンの動作設定および動作確認を行うエアコンの動作設定装置に関する。
【０００２】
【従来の技術】
従来、エアコンの室外機は、直方体状の金属製の筐体を備え、この筐体内には、室外熱交換器およびコンプレッサを駆動するための電源基板が設けられ、この電源基板上には、エアコンの動作設定を行うためのディップスイッチが設けられている。エアコンの初期設定を行うためには、複数本のねじを外してから、筐体の天面および前面に被さっているメインカバーを取り外して退避させ、ディップスイッチを設定して試運転を行い、動作確認後にメインカバーを取り付けている。また、故障時や定期点検時においても、メインカバーを取り外して各部の動作を確認している。
【０００３】
近年は、筐体の側面に窓部を形成し、ここから、室外機内に配置されたＬＥＤ（発光ダイオード）による表示を視認して、異常の有無を確認する異常確認装置が開発されており、筐体を開けずに異常の内容を認識することができる（特許文献１参照）。
【０００４】
【特許文献１】
特開平１１−２３０１０号公報　（第２−４頁、第１−３図）
【０００５】
【発明が解決しようとする課題】
しかしながら、特許文献１に記載された異常確認装置で異常が確認されたとすると、その後の機器のリセット等を行うためには、メインカバーを開けて電源基板上のリセットスイッチを押したり、ディップスイッチの設定を変更したりする必要があるが、電源基板上には、むき出しのトランス等が配置されており、感電しないように細心の注意が必要となるために作業に時間がかかるという問題がある。
【０００６】
また、初期設定やメンテナンス時においても、スイッチの設定が必要になる場合は、メインカバーを開けたまま作業を行うことができないという問題もある。
【０００７】
また、異常が発見されても、降雨時には、室外機内が濡れてしまうため、メインカバーを開けることができないという問題もある。
【０００８】
さらに、メインカバーを開けると、フィルターがない状態で運転を行うため、熱交換器にごみ等が付着して製品の品質が劣化したり、また、日光や風等が直接当たるため、メインカバーを閉じて行う通常の運転条件と異なり、設定がうまくできなかったり時間がかかったりするという問題もある。
【０００９】
そこで本発明が解決しようとする課題は、メインカバーを閉じたまま動作設定を迅速かつ確実に行うことができるエアコンの動作設定装置を提供することにある。
【００１０】
【課題を解決するための手段】
前記課題を解決するため、本発明のエアコンの動作設定装置は、筐体のメインカバー内に室外熱交換用機器および充電部を備えたエアコンの室外機に設けられた動作設定装置において、前記動作設定装置は、前記室外熱交換用機器の動作設定を行う設定スイッチと、前記設定スイッチによる設定状態または前記室外熱交換用機器の動作状態を示す表示パネルとを備え、前記筐体の側面のサブカバー内に配置されている。室外熱交換用機器には、例えば、圧縮機、室外熱交換器、ファン、膨張弁等の各種弁体等や配管類が含まれる。
【００１１】
動作設定装置は、トランス等の充電部を備えたメイン基板に接続されている。
初期設定においては、サブカバーのみを開け、メインカバーを閉じた状態で動作設定を行う。設定スイッチにより、動作設定を行うときには、表示パネルには設定内容が表示される。また、運転時には、表示パネルには、各部の温度や圧力等の動作状態が表示される。運転時には、メインカバーが閉じているので、動作設定時に高電圧の充電部に作業者が触れることが防止される。また、室外熱交換用機器に異物が入ることもなく、さらに、日光や風によって室外熱交換用機器の動作状態が変わることもない。
【００１２】
前記サブカバーに、凹状に形成されて前記室外機を把持可能な把持部を設け、前記表示パネルを、表示面を斜め上方に向けて、前記把持部の内側に傾斜配置すると、通常、作業者より下方に配置されている表示パネルを正面に近い角度から視認することができ、表示内容の誤認が防止される。また、表示パネルを傾斜配置することにより、表示パネルの直上方に空間部が形成でき、この部分を把持部として用いることができるので、把持部が外側に突出することを避けて製品をコンパクトに形成することができる。
【００１３】
前記室外熱交換用機器に、前記筐体の外側に設けられ、冷媒との間で熱交換させた熱媒水を収容する給水タンクを、この給水タンクと前記室外熱交換用機器との間で前記熱媒水を循環ポンプで循環させる温水配管によって接続し、前記設定スイッチに、前記循環ポンプの出力を設定する機能を設けると、メインカバーを開けずに運転状態を確認でき、給水タンクに水や不凍液を補充するとき、これが充電部に飛散して動作不良を起こすことが防止される。
【００１４】
前記サブカバー内に、前記室外熱交換用機器の動作設定を行うリモコンを接続可能なリモコン端子台を設けると、リモコンの接続時にメインカバーを開ける必要がなく、施工性を向上させることができる。なお、リモコンは、室内機側を含むエアコン本体の運転状態の設定を行うようにしておくことが好ましい。
【００１５】
【発明の実施の形態】
以下、本発明の実施の形態について説明する。
図１は本発明の実施形態における空調システムの概略構成図である。本実施形態における空調システムは、夏季には冷房運転もできるが、ここでは冬季の暖房運転の場合について説明する。
【００１６】
空調装置は、室内熱交換器１１、送風ファン１２を有する室内機１０と、圧縮機２１、室外熱交換器２２、ファン２３等の室外熱交換用機器を有する室外機２０とを備え、室内熱交換器１１と室外熱交換器２２との間に、圧縮機２１からの吐出冷媒を循環させる冷媒循環路３０を設け、暖房時には、室外熱交換器２２を蒸発器として機能させるとともに、室内熱交換器１１を凝縮器として機能させ、送風ファン１２により温風を室内に吹き込むように構成されている。
【００１７】
本実施形態では、室外機２０は、床暖房用の水熱交換器４１と給水タンク４２と循環ポンプ４３を含み、建物の床に設けた床暖房パネル４０と水熱交換器４１、給水タンク４２の間を温水が循環する温水循環路４４とで床暖房装置が構成されている。なお、図中の２４は電子膨張弁、２５はストレーナ、２６はマフラー、２７は逆止弁、２８は四方弁、４５は温水コンセントであり、これらの機器類は空調システムとして公知の機器であるので機能などの説明は省略する。
【００１８】
図２は、空調システムの電気制御系の接続状態を示す概略構成図である。電源は、室内機１０内の室内制御基板４６を介して室外機２０の室外制御基板４７の充電部（図示せず）に供給される。
【００１９】
室内制御基板４６は、送風ファン１２と、雰囲気温度や室内熱交換器１１の温度を測定する複数のサーミスタ５１とに接続されている。また、室外制御基板４７は、相互に接続された充電部、室外機制御部４８および床暖房制御部４９を有している。
【００２０】
室外機制御部４８は、四方弁２８、圧縮機２１、電子膨張弁２４とファン２３に接続され、床暖房制御部４９は、循環ポンプ４３および複数の床暖房パネルに温水を分配するために熱動弁や電磁弁等から構成される床暖房用循環水の分岐用装置５０に接続されている。
【００２１】
また、室外制御基板４７には、室外機２０周辺の温度や室外熱交換器２２の温度等を測定する複数のサーミスタ５２が接続され、また、本発明の特徴部分である動作設定装置５３が接続されている。動作設定装置５３には、床暖房用のリモコン６７が、着脱可能に接続されている。
【００２２】
図３は、空調システムの室外機の斜視図である。図３に示すように、室外機２０は、金属薄板製の直方体状の筐体５４と、筐体５４の後部に設けられた給水タンク４２を有している。
【００２３】
筐体５４は、その上面および前面を覆うメインカバー５６と、一側面を覆うサブカバー５７とを有し、動作設定装置５３は、サブカバー５７内の上部位置に配置されている。また、室外制御基板４７は、メインカバー５６内の上部に水平配置され、室外熱交換用機器は、メインカバー５６内の室外制御基板４７の下側に配置されている。また、メインカバー５６の前面には、排気用のメッシュ付きの開口部５８が形成されている。メインカバー５６とサブカバー５７はそれぞれ独立して着脱することができる。通常、サブカバー５７内には、室内機１０と室外機２０とをつなぐ配線を接続する端子台が設けられている。
【００２４】
給水タンク４２は、筐体５４内の水熱交換器４１によって、冷媒との間で熱交換させた熱媒水を収容することができ、この給水タンク４２と水熱交換器４１とは、筐体５４内に設けられた循環ポンプ４３で熱媒水を循環させる温水配管（図示せず）により接続されている。
【００２５】
図４は、室外機の部分断面図である。図４に示すように、サブカバー５７の上部には、筐体５４の内側に向かって凹状の溝部を形成された把持部５９が形成されている。なお、筐体５４のサブカバー５７とは反対側の側面にも同形状の把持部５９が形成されている。作業者は、両側の把持部５９を把持して室外機２０を運搬することができる。
【００２６】
図５は、動作設定装置５３の正面図である。図５に示すように動作設定装置５３は、配線基板６０上に、設定スイッチ６１と表示パネル６２とを備えている。
また、配線基板６０上には、室外制御基板４７に接続するためのコネクタ６３，６４、床暖房用のリモコン６７（図２参照）を接続するためのリモコン端子台６８、リセットスイッチ６５および給排水スイッチ６６が設けられている。
【００２７】
設定スイッチ６１は、循環ポンプ４３の出力や室外熱交換用機器等の動作設定を、メインカバー５６を閉じた状態で行うことができ、表示パネル６２は、設定スイッチ６１による設定状態や、室外熱交換用機器等の動作状態を表示することができる。
【００２８】
図４に戻って、配線基板６０は、表示パネル６２の表示面が斜め上方を向くように傾斜配置されている。配線基板６０を傾斜配置することにより、把持部５９の凹部を避けるとともに、サブカバー５７を外したときに、斜め上方から表示パネル６２の表示面を視認しやすくなっている。
【００２９】
次に、動作設定装置５３を用いた各種設定および表示について説明する。動作設定を行う場合は、メインカバー５６を閉じた状態で、サブカバー５７を外して行う。
【００３０】
（警報履歴表示モード）
運転停止中に、リセットスイッチ６５と給排水スイッチ６６を所定時間以上、同時に押すと警報履歴モードとなる。警報は、所定のアルファベットと数字を組み合わせた記号で表示パネル６２に表示され、例えば、床暖房の温水戻りサーミスタの異常はＥ５、室外機の吐出管温度過昇保護の場合はＡ１が表示される。
【００３１】
警報履歴モードにある状態で、給排水スイッチ６６を押すたびに、前回、２回前、３回前の順に８回前までの警報履歴が表示される。また、リセットスイッチ６５のみを所定時間以上押すと、警報履歴が解除される。また、リセットスイッチ６５と給排水スイッチ６６を所定時間以上、再度同時に押すと警報履歴モードが解除される。
【００３２】
（モニタモード）
所定の設定スイッチ６１をオンにすると、モニタ番号とモニタデータを、一定時間おきに交互に表示する。
例えば、Ｄ１と８０が交互に表示される場合は、Ｄ１に設定してあるコンプレッサ回転数が、８０Ｈｚであることを示す。
【００３３】
（凍結予防機能）
所定の設定スイッチ６１のオン・オフを切り替えると、凍結予防ありとなしを切り替えることができる。凍結予防ありの場合は、外気温度が一定温度（例えば４℃）以下の場合に、温水の戻り温度が２℃になるように床暖房運転を行い、外気温度が設定温度（例えば６℃）以上になると、床暖房運転を停止する。
【００３４】
また、他の設定スイッチ６１のオン・オフの切り替えにより、保温運転ありとなしを切り替えることができる。保温運転ありの場合は、温水の戻り温度が２０℃になるように、圧縮機２１の出力、または循環ポンプ４３の吐出量を調整する。
【００３５】
（連動時室温設定モード）
所定の設定スイッチ６１をオンにすると、床暖房とエアコン暖房連動時のエアコン側設定温度を設定することができる。この設定スイッチ６１をオンにすると、まず、ｒｈの表示と設定室温が交互に表示される。この状態で給排水スイッチ６６を押すことにより、表示が１０から１ずつ増加し、１０℃から３０℃までの範囲で、室温を１℃単位で設定することができる。設定した情報はＥＥＰＲＯＭ（電気的にデータの書込み・消去を行うことができるメモリ）に保存され、停電時においても記録が保持されている。
【００３６】
（ポンプ最大値設定モード）
所定の２つの設定スイッチ６１を同時にオンにすると、循環ポンプ４３のポンプ電圧を８０％または９０％に切り替えることができる。所定の２つの設定スイッチ６１をオンにすると、ｐｐとポンプ電圧（％）が交互に表示され、この状態のときに給排水スイッチ６６を押すと、８０％と９０％を交互に切り替えることができる。
【００３７】
（試運転機能）
警報表示中、警報履歴表示モードおよびポンプ最大値設定モードのときを除いて、給排水スイッチ６６を所定時間以上押すと試運転を開始する。
試運転が開始されると、室内機１０内の送風ファン１２や室外機２０内の熱交換用機器が作動する。このとき、メインカバー５６が閉じているので、筐体５４内の温度や圧力は、通常の動作条件が変わることはなく、異常がある場合には、迅速に発見することができる。
【００３８】
（水位表示モード）
運転停止中に給排水スイッチ６６を１回押すと、水位表示モードになる。
図６（Ａ）は、水位表示時の表示パネルの左側のセグメントの表示を示す説明図である。水位表示字には、８字状に形成されたＬＥＤセグメントのうち、上段、中段および下段にそれぞれ配置された水平な３本のセグメントを使用する。水位が高いときは、上段のセグメントのみが点灯し、水位が中程度であれば、中段のセグメントのみが点灯し、水位が低いときは、下段のセグメントのみが点灯する。
図６（Ｂ）は、水位表示時の表示パネルの右側のセグメントの表示を示す説明図である。循環ポンプ４３の運転時には、図中に白抜きで示した中段の水平なセグメントを除く６つの環状に配置されたセグメントが時計方向または反時計方向回りに１つずつ順に点灯する。一方、循環ポンプ４３が運転されていないときには、特定のセグメントのみが点灯する。このようにして、循環ポンプ４３が運転されていることを視認することができる。
【００３９】
【発明の効果】
本発明によれば次の効果を奏する。
（１）筐体のメインカバー内に室外熱交換用機器および充電部を備えたエアコンの室外機に設けられた動作設定装置において、動作設定装置に、室外熱交換用機器の動作設定を行う設定スイッチと、設定スイッチによる設定状態または室外熱交換用機器の動作状態を示す表示パネルとを備え、筐体の側面のサブカバー内に配置したので、サブカバーのみを開け、メインカバーを閉じた状態で動作設定やメンテナンスを行うことができ、動作設定時に高電圧の充電部に作業者が触れることが防止される。また、室外熱交換用機器に異物が入ることもなく、さらに、日光や風によって室外熱交換用機器の動作状態が変わることもない。このようにして、メインカバーを閉じたまま動作設定を迅速かつ確実に行うことができる。
（２）サブカバーに、凹状に形成された把持部を設け、表示パネルを、表示面を斜め上方に向けて、把持部の内側に傾斜配置すると、通常、作業者より下方に配置されている表示パネルを正面に近い角度から視認することができ、表示内容の誤認が防止される。また、表示パネルを傾斜配置することにより、表示パネルの直上方に空間部が形成でき、この部分を把持部として用いることができるので、把持部が外側に突出することを避けて製品をコンパクトに形成することができる。
（３）室外熱交換用機器に、筐体の外側に設けられた給水タンクと、温水配管を接続し、前記設定スイッチに、前記循環ポンプの出力を設定する機能を設けると、メインカバーを開けずに運転状態を確認でき、給水タンクに水や不凍液を補充するとき、これが充電部に飛散して動作不良を起こすことが防止され、装置の信頼性が向上する。
（４）サブカバー内に、室外熱交換用機器の動作設定を行うリモコンを接続可能なリモコン端子台を設けると、リモコンの接続時にメインカバーを開ける必要がなく、設定スイッチと同等の動作設定を行うことができ、動作設定を迅速かつ確実に行うことができる。
【図面の簡単な説明】
【図１】本発明の実施形態における空調システムの概略構成図である。
【図２】空調システムの電気制御系の接続状態を示す概略構成図である。
【図３】空調システムの室外機の斜視図である。
【図４】室外機の部分断面図である。
【図５】動作設定装置の正面図である。
【図６】（Ａ）は、水位表示時の表示パネルの左側のセグメントの表示を示す説明図、（Ｂ）は、水位表示時の表示パネルの右側のセグメントの表示を示す説明図である。
【符号の説明】
１０　室内機
１１　室内熱交換器
１２　送風ファン
２０　室外機
２１　圧縮機
２２　室外熱交換器
２３　ファン
２４　電子膨張弁
２５　ストレーナ
２６　マフラー
２７　逆止弁
２８　四方弁
３０　冷媒循環路
４０　床暖房パネル
４１　水熱交換器
４２　給水タンク
４３　循環ポンプ
４４　温水循環路
４５　温水コンセント
４６　室内制御基板
４７　室外制御基板
４８　室外機制御部
４９　床暖房制御部
５０　分岐用装置
５１　サーミスタ
５２　サーミスタ
５３　動作設定装置
５４　筐体
５６　メインカバー
５７　サブカバー
５８　開口部
５９　把持部
６０　配線基板
６１　設定スイッチ
６２　表示パネル
６３　コネクタ
６４　コネクタ
６５　リセットスイッチ
６６　給排水スイッチ
６７　リモコン
６８　リモコン端子台
【図１】
2004125231.tif 000003
【図２】
2004125231.tif 000004
【図３】
2004125231.tif 000005
【図４】
2004125231.tif 000006
【図５】
2004125231.tif 000007
【図６】
2004125231.tif 000008